(57)【要約】      （修正有）【課題】ホームネットワーク端末、またテレビでもホームネットワークに存在するマルチメディアコンテンツを再生できるようにする。【解決手段】ホームネットワーク端末、またはテレビでの再生のために、ホームネットワークコンテンツや放送コンテンツを中継するためのホームネットワーク手段と、放送網を介して伝送される放送信号を受信し放送コンテンツ目録と放送コンテンツとに分離するための放送手段と、放送手段から分離された放送コンテンツ目録は、ホームネットワークコンテンツ目録フォーマットに変換して、前記ホームネットワーク手段に伝達するためのホームネットワーク・放送連動手段と、ユーザが選択したコンテンツの類型によってユーザ選択情報を前記ホームネットワーク手段や前記放送手段に伝達し、ホームネットワークコンテンツまたは放送コンテンツを受信して、前記テレビで再生され得るように、映像信号処理するための映像処理手段を備える。【選択図】図１
2007181192.tif 000002
【特許請求の範囲】
【請求項１】
ホームネットワークのマルチメディアコンテンツ（ホームネットワークコンテンツ）と放送のプログラムコンテンツ（放送コンテンツ）を放送とホームネットワークで相互利用するためのホームネットワーク・放送連動システムにおいて、
ホームネットワークコンテンツ目録とホームネットワークフォーマットに変換された放送コンテンツ目録を収集・管理しつつ、ホームネットワーク端末の要求に応じて当該コンテンツ目録を提供し、ホームネットワーク端末、またはテレビでの再生のために、ホームネットワークコンテンツや放送コンテンツを中継するためのホームネットワーク手段と、
放送網を介して伝送される放送信号を受信し放送コンテンツ目録と放送コンテンツとに分離するための放送手段と、
前記ホームネットワーク手段で収集したホームネットワークコンテンツ目録は、放送コンテンツ目録フォーマットに変換し、前記放送手段から分離された放送コンテンツ目録は、ホームネットワークコンテンツ目録フォーマットに変換して、前記ホームネットワーク手段に伝達するためのホームネットワーク・放送連動手段と、
放送フォーマットに変換されたホームネットワークコンテンツ目録と放送コンテンツ目録をユーザに提供し、前記ユーザが選択したコンテンツの類型によってユーザ選択情報を前記ホームネットワーク手段や前記放送手段に伝達し、それにより、ホームネットワークコンテンツまたは放送コンテンツを受信して、前記テレビで再生され得るように、映像信号処理するための映像処理及びユーザーインタフェース手段と
を含むことを特徴とするホームネットワークと放送との間にマルチメディアコンテンツを相互利用するためのホームネットワーク・放送連動システム。
【請求項２】
前記ホームネットワーク手段は、
ホームネットワークに接続したホームネットワーク端末を発見して、ホームネットワークコンテンツ目録を収集し、ホームネットワーク端末と制御命令及びイベントをやり取りするためのミドルウェア手段と、
前記収集されたホームネットワークコンテンツ目録と前記ホームネットワークフォーマットに変換された放送コンテンツ目録を格納・管理しつつ、ホームネットワーク端末の要求に応じて前記コンテンツ目録を提供し、ホームネットワーク端末からコンテンツの要請を受けると、要請されたコンテンツの類型によって他のホームネットワーク端末または前記放送手段にコンテンツを要求するためのコンテンツ目録管理手段と、
前記ホームネットワーク手段でのコンテンツの送受信のために、前記ミドルウェア手段を介してホームネットワーク端末と制御命令をやり取りするためのホームネットワーク装置制御手段と、
前記コンテンツ目録管理手段の要求に応じて前記他のホームネットワーク端末または前記放送手段からコンテンツを受信し、当該ホームネットワーク端末に伝達したり、前記映像処理及びユーザーインタフェース手段からの要請にしたがって当該ホームネットワーク端末からホームネットワークコンテンツを受信し伝達したりするためのコンテンツ送受信手段と、
ホームネットワーク端末との通信のためのインターフェースを行うためのネットワークインターフェース手段と
を含むことを特徴とする請求項１に記載のホームネットワークと放送との間にマルチメディアコンテンツを相互利用するためのホームネットワーク・放送連動システム。
【請求項３】
前記コンテンツ目録管理手段は、
前記ホームネットワーク端末からコンテンツの要請を受けると、前記コンテンツの要請に含まれたＵＲＬ情報を介してコンテンツの類型を判断し、前記要請されたコンテンツが放送コンテンツの場合、前記ＵＲＬ情報に対応するチャンネル情報を利用して前記放送手段にコンテンツを要求し、前記要請されたコンテンツがホームネットワークコンテンツの場合、前記ＵＲＬ住所情報に該当する他のホームネットワーク端末にコンテンツを要求することを特徴とする請求項２に記載のホームネットワークと放送との間にマルチメディアコンテンツを相互利用するためのホームネットワーク・放送連動システム。
【請求項４】
前記映像処理及びユーザーインタフェース手段は、
前記ホームネットワークコンテンツ目録と前記放送コンテンツ目録を含むＥＰＧ情報をユーザーインタフェース情報とともにテレビ画面を介して前記ユーザに提供し、前記ユーザが選択したコンテンツの類型によって前記ユーザ選択情報を前記放送手段または前記ホームネットワーク手段に伝達するためのＥＰＧ−アプリケーション管理手段と、
前記ホームネットワーク手段または前記放送手段から伝送されるコンテンツをデコーディングするためのＡＶデコーディング手段と、
前記ＥＰＧ情報及び前記ユーザーインタフェース情報と、前記ＡＶデコーディング手段でデコーディングされたコンテンツの映像情報を合成するためのグラフィック合成手段と、
該グラフィック合成手段から出力されるデジタル映像データをアナログ映像信号に変換するための信号変換手段と
を含むことを特徴とする請求項３に記載のホームネットワークと放送との間にマルチメディアコンテンツを相互利用するためのホームネットワーク・放送連動システム。
【請求項５】
前記ＥＰＧ−アプリケーション管理手段は、
前記ユーザ選択情報がチャンネル情報の場合、ホームネットワークコンテンツのＵＲＬとチャンネルとの間のマッピング情報を利用して前記ユーザが選択したコンテンツの類型を判断し、放送コンテンツの場合、前記放送手段に前記チャンネル情報を伝送し、ホームネットワークコンテンツの場合、前記チャンネル情報をＵＲＬ住所情報に変更して前記ホームネットワーク手段に伝送することを特徴とする請求項４に記載のホームネットワークと放送との間にマルチメディアコンテンツを相互利用するためのホームネットワーク・放送連動システム。
【請求項６】
前記ＥＰＧ−アプリケーション管理手段は、
前記ユーザのチャンネル情報に対してホームネットワークコンテンツグループが割り当てられていると、前記ユーザに追加的なコンテンツグループ情報を提供することにより、前記ユーザから最終的に選択されたホームネットワークコンテンツに対するＵＲＬ住所情報に変更することを特徴とする請求項５に記載のホームネットワークと放送との間にマルチメディアコンテンツを相互利用するためのホームネットワーク・放送連動システム。
【請求項７】
前記放送手段は、
放送網を介して伝送される放送信号からユーザが選択したチャンネルの放送信号のみを受信するための放送チューニング手段と、
該放送チューニング手段より受信された放送チャンネル信号から放送コンテンツと放送コンテンツ目録を分離し、前記放送コンテンツは、前記ＡＶデコーディング手段または前記ホームネットワーク手段に伝達し、前記放送コンテンツ目録は、前記ホームネットワーク・放送連動手段に伝達するためのデマルチプレキシング手段と、
ユーザからリモコンを介して入力される選択情報を受信し、前記ＥＰＧ−アプリケーション管理手段に伝達するためのリモコン入力受信手段と
を含むことを特徴とする請求項６に記載のホームネットワークと放送との間にマルチメディアコンテンツを相互利用するためのホームネットワーク・放送連動システム。
【請求項８】
前記ホームネットワーク・放送連動手段は、
前記ホームネットワークコンテンツ目録は、放送で定義された放送コンテンツ目録フォーマットに変換して、前記ＥＰＧ−アプリケーション管理手段に伝達し、前記放送コンテンツ目録は、ホームネットワークコンテンツ目録フォーマットに変換して、前記コンテンツ目録管理手段に伝達するためのコンテンツ情報変換手段と、
前記テレビでコンテンツを再生する前に、テレビの現在状態、コンテンツの再生要請位置、及びコンテンツ再生位置を用いてコンテンツ再生に対する承諾可否を決定するための資源管理手段と
を含むことを特徴とする請求項７に記載のホームネットワークと放送との間にマルチメディアコンテンツを相互利用するためのホームネットワーク・放送連動システム。
【請求項９】
前記コンテンツ情報変換手段での放送−ホームネットワークフォーマット変換過程は、
前記放送コンテンツ目録は、ＸＭＬフォーマットに変換し、放送コンテンツに対するチャンネル情報をＵＲＬ情報で表現することを特徴とする請求項８に記載のホームネットワークと放送との間にマルチメディアコンテンツを相互利用するためのホームネットワーク・放送連動システム。
【請求項１０】
前記ＵＲＬ情報は、
該ＵＲＬが放送コンテンツに対したものであることを表す識別子、放送コンテンツの識別子、及びチャンネル情報を含むことを特徴とする請求項９に記載のホームネットワークと放送との間にマルチメディアコンテンツを相互利用するためのホームネットワーク・放送連動システム。
【請求項１１】
前記コンテンツ情報変換手段でのホームネットワーク−放送フォーマット変換過程は、
「開始時刻」は、現在時刻または常時可能と表示し、「終了時刻」は、現在時刻に再生時間を加えた時刻または再生時間と表示し、テレビでホームネットワークコンテンツに接近できるように、ホームネットワークコンテンツに対して「チャンネル」を割り当てることを特徴とする請求項８に記載のホームネットワークと放送との間にマルチメディアコンテンツを相互利用するためのホームネットワーク・放送連動システム。
【請求項１２】
前記ホームネットワークコンテンツに対するチャンネル割り当ては、
１つのホームネットワークコンテンツごとにまたはホームネットワークコンテンツグループごとにそれぞれ１つのチャンネルが割り当てられるが、放送チャンネルとして使用されないチャンネルが割り当てられることを特徴とする請求項１１に記載のホームネットワークと放送との間にマルチメディアコンテンツを相互利用するためのホームネットワーク・放送連動システム。
【請求項１３】
ホームネットワークコンテンツグループに対してチャンネルを割り当てるときは、放送フォーマットに変換されたホームネットワークコンテンツ目録に代表コンテンツの名前と当該コンテンツグループ目録がさらに含まれるようにすることを特徴とする請求項１２に記載のホームネットワークと放送との間にマルチメディアコンテンツを相互利用するためのホームネットワーク・放送連動システム。
【請求項１４】
テレビでの放送プログラムコンテンツ（放送コンテンツ）やホームネットワークマルチメディアコンテンツ（ホームネットワークコンテンツ）の再生のためのホームネットワーク・放送連動方法において、
ホームネットワーク端末でホームネットワークコンテンツ目録を収集して、放送コンテンツ目録フォーマットに変換し管理し、放送信号から放送コンテンツ目録を収集して、ホームネットワークコンテンツ目録フォーマットに変換し管理するコンテンツ収集・管理ステップと、
ユーザの要求に応じてＥＰＧを実行させて、前記テレビを介して前記コンテンツ収集・管理ステップで管理される放送コンテンツ目録とホームネットワークコンテンツ目録を提供するコンテンツ目録提供ステップと、
前記ユーザからチャンネル情報を受信すると、チャンネル−住所マッピング情報を利用して前記ユーザが要請したコンテンツがホームネットワークコンテンツと放送コンテンツとのうち、いずれかのコンテンツなのかを判断するコンテンツ類型判断ステップと、
前記コンテンツ類型判断の結果、前記ユーザが要請したコンテンツが放送コンテンツの場合、前記チャンネル情報を用いて前記ユーザが選択したチャンネルの放送信号を受信し、該受信された放送信号から放送コンテンツを分離して前記テレビに伝送する放送コンテンツ伝送ステップと、
前記コンテンツ類型判断の結果、前記ユーザが要請したコンテンツがホームネットワークコンテンツの場合、前記チャンネル−住所マッピング情報を用いて前記チャンネル情報を住所情報に変更し、前記住所情報に該当するホームネットワーク端末にホームネットワークコンテンツを要請することにより、受信されたホームネットワークコンテンツを前記テレビに伝送するホームネットワークコンテンツ伝送ステップと
を含むことを特徴とするテレビでのホームネットワーク・放送コンテンツの再生のためのホームネットワーク・放送連動方法。
【請求項１５】
前記ユーザからチャンネル情報を受信すると、テレビの現在状態、コンテンツの再生要請位置及びコンテンツ再生位置を用いてテレビでのコンテンツ再生に対する承諾可否を決定する資源管理ステップをさらに含むことを特徴とする請求項１４に記載のテレビでのホームネットワーク・放送コンテンツの再生のためのホームネットワーク・放送連動方法。
【請求項１６】
前記コンテンツ類型判断ステップは、
前記チャンネル情報が前記チャンネル−住所マッピング情報に存在するかを検査して、前記選択されたチャンネル情報が存在しなければ、前記ユーザが要請したコンテンツを放送コンテンツと判断し、前記選択されたチャンネル情報が存在すれば、前記ユーザが要請したコンテンツをホームネットワークコンテンツと判断することを特徴とする請求項１４または１５に記載のテレビでのホームネットワーク・放送コンテンツの再生のためのホームネットワーク・放送連動方法。
【請求項１７】
前記コンテンツ類型判断ステップでのチャンネル情報入力過程は、
前記ユーザから前記テレビのリモコンにより直接チャンネル情報を受信することを特徴とする請求項１６に記載のテレビでのホームネットワーク・放送コンテンツの再生のためのホームネットワーク・放送連動方法。
【請求項１８】
前記ホームネットワークコンテンツ伝送ステップは、
前記入力されたチャンネル情報に対してコンテンツグループが割り当てられると、前記ユーザにコンテンツグループ情報を提供してコンテンツを選択され、住所情報を用いて当該ホームネットワーク端末に前記選択されたコンテンツ情報を要請することを特徴とする請求項１７に記載のテレビでのホームネットワーク・放送コンテンツの再生のためのホームネットワーク・放送連動方法。
【請求項１９】
前記チャンネル−住所マッピング情報は、
それぞれのホームネットワークコンテンツに対して割り当てられたチャンネル情報と、前記ホームネットワークコンテンツを提供するホームネットワーク端末のＵＲＬ情報と
を含むことを特徴とする請求項１８に記載のテレビでのホームネットワーク・放送コンテンツの再生のためのホームネットワーク・放送連動方法。
【請求項２０】
ホームネットワーク端末での放送プログラムコンテンツ（放送コンテンツ）やホームネットワークマルチメディアコンテンツ（ホームネットワークコンテンツ）の再生のためのホームネットワーク・放送連動方法において、
ホームネットワーク端末でホームネットワークコンテンツ目録を収集して、放送コンテンツ目録フォーマットに変換し管理し、放送信号から放送コンテンツ目録を収集して、ホームネットワークコンテンツ目録フォーマットに変換し管理するコンテンツ収集・管理ステップと、
ユーザホームネットワーク端末からの要求に応じて前記コンテンツ収集・管理ステップで管理される放送コンテンツ目録とホームネットワークコンテンツ目録を提供するコンテンツ目録提供ステップと、
前記ユーザホームネットワーク端末からコンテンツの要請を受けて、要請されたコンテンツ内の住所情報を介してコンテンツの類型を判断するコンテンツ類型判断ステップと、
前記コンテンツ類型判断の結果、前記要請されたコンテンツが放送コンテンツの場合、前記コンテンツ要請情報に含まれた住所情報に対応するチャンネル情報を用いてユーザが選択したチャンネルの放送信号を受信し、該受信された放送信号から放送コンテンツを分離して前記ユーザホームネットワーク端末に伝送する放送コンテンツ伝送ステップと、
前記コンテンツ類型判断の結果、前記要請されたコンテンツがホームネットワークコンテンツの場合、前記コンテンツ要請情報に含まれた住所情報に該当するホームネットワーク端末にホームネットワークコンテンツを要求し、応答として受信されたホームネットワークコンテンツを前記ユーザホームネットワーク端末に伝達するホームネットワークコンテンツ伝送ステップと
を含むことを特徴とするホームネットワーク端末での放送・ホームネットワークコンテンツの再生のためのホームネットワーク・放送連動方法。
【請求項２１】
前記ユーザホームネットワーク端末からコンテンツ要請を受けると、テレビの現在状態、コンテンツの再生要請位置及びコンテンツの再生位置を用いてホームネットワーク端末でのコンテンツ再生に対する承諾可否を決定する資源管理ステップをさらに含むことを特徴とする請求項２０に記載のホームネットワーク端末での放送・ホームネットワークコンテンツの再生のためのホームネットワーク・放送連動方法。
【請求項２２】
前記コンテンツ類型判断ステップは、
前記コンテンツ要請メッセージに含まれた住所情報を分析して放送コンテンツなのか、ホームネットワークコンテンツなのかを判断することを特徴とする請求項２０または２１に記載のホームネットワーク端末での放送・ホームネットワークコンテンツの再生のためのホームネットワーク・放送連動方法。
【請求項２３】
前記放送コンテンツ伝送ステップは、
前記要請されたコンテンツが現在時点以後に放送される未来の放送コンテンツの場合、前記チャンネル情報をもって待機し、当該放送コンテンツが始まる時刻に放送信号を受信し、該受信された放送信号から放送コンテンツを分離して前記ユーザホームネットワーク端末に伝送することを特徴とする請求項２２に記載のホームネットワーク端末での放送・ホームネットワークコンテンツの再生のためのホームネットワーク・放送連動方法。
【請求項２４】
前記住所情報は、
ＵＲＬ住所情報として、放送コンテンツ要請であることを表す識別子、放送プログラムコンテンツ識別子、及びチャンネル情報を含むことを特徴とする請求項２３に記載のホームネットワーク端末での放送・ホームネットワークコンテンツの再生のためのホームネットワーク・放送連動方法。
【発明の詳細な説明】
【技術分野】
【０００１】
本発明は、ホームネットワークと放送との間にマルチメディアコンテンツを相互利用するためのホームネットワーク・放送連動システム及びその方法に関し、さらに詳細には、ホームネットワークミドルウェアの収集したコンテンツ目録と放送モジュールの収集したコンテンツ目録をフォーマット変換過程を経て相互交換することにより、ホームネットワークと放送との間にマルチメディアコンテンツ目録を互いに認識できるようにし、それにより、ホームネットワークに接続した端末（ホームネットワーク端末）でも放送プログラムコンテンツを再生できるようにし、また、テレビでもホームネットワークに存在するマルチメディアコンテンツを再生できるようにする、ホームネットワークと放送との間にマルチメディアコンテンツを相互利用するためのホームネットワーク・放送連動システム及びその方法に関する。
【背景技術】
【０００２】
近年、ホームネットワークが活性化されるにつれて、ホームサーバまたはメディアサーバにマルチメディアコンテンツを格納した後、これを発見し、再生する技術が開発された。ユーザは、ホームネットワークに接続した端末を用いてホームネットワークに存在するコンテンツを検索することができ、自分の所望するコンテンツを自分の所望する端末機を用いて再生することができる。
【０００３】
一方、放送は、既に非常に普遍化された技術であって、現在、放送では放送プログラムをテレビ画面で確認することができるが、これは、テレビ画面にプログラム編成表を提供する電子プログラムガイド（Electronic Program Guide；以下、ＥＰＧとする）によりなされている。
【発明の開示】
【発明が解決しようとする課題】
【０００４】
しかしながら、現在、ホームネットワークマルチメディアコンテンツは、ホームネットワーク端末で、そして、放送プログラムは、テレビを介してのみみることができる。既存にテレビを介してＶｏＤ（Video on Demand）サービスを受けることができる製品もあるが、これは、ホームネットワークマルチメディアコンテンツとＥＰＧ情報とを同時にみることができない。
【０００５】
すなわち、ホームネットワークモードと放送モードとが分離されて、ホームネットワークモードでは、ホームネットワークマルチメディアコンテンツを検索して再生できるだけであり、放送モードでは、ＥＰＧ情報を受信し、これによりテレビプログラムを視聴できるだけであるという問題があった。また、ホームネットワーク端末でテレビプログラムを視聴するためには、端末機にテレビチューナーモジュールを別に装着しなければならないが、ホームネットワーク端末に装着されるチューナーモジュールは、それぞれ提供するインターフェースがＵＳＢ、ＰＣＩなどであって、異なるため、当該インターフェースを有する端末機のみに装着することができるという問題があった。
【０００６】
本発明は、上記した従来の技術の問題を解決するために提案されたものであって、その目的は、ホームネットワークミドルウェアが収集したコンテンツ目録と放送モジュールが収集したコンテンツ目録をフォーマット変換過程を経て相互交換することにより、ホームネットワークと放送との間にマルチメディアコンテンツ目録を互いに認識できるようにし、それにより、ホームネットワークに接続した端末（ホームネットワーク端末）でも放送プログラムコンテンツを再生できるようにし、また、テレビでもホームネットワークに存在するマルチメディアコンテンツを再生できるようにする、ホームネットワークと放送との間にマルチメディアコンテンツを相互利用するためのホームネットワーク・放送連動システム及びその方法を提供することにある。
【課題を解決するための手段】
【０００７】
そこで、上記の目的を達成するための本発明は、ホームネットワークのマルチメディアコンテンツ（ホームネットワークコンテンツ）と放送のプログラムコンテンツ（放送コンテンツ）を放送とホームネットワークで相互利用するためのホームネットワーク・放送連動システムにおいて、ホームネットワークコンテンツ目録とホームネットワークフォーマットに変換された放送コンテンツ目録を収集・管理しつつ、ホームネットワーク端末の要求に応じて当該コンテンツ目録を提供し、ホームネットワーク端末、またはテレビでの再生のために、ホームネットワークコンテンツや放送コンテンツを中継するためのホームネットワーク手段と、放送網を介して伝送される放送信号を受信し放送コンテンツ目録と放送コンテンツとに分離するための放送手段と、前記ホームネットワーク手段で収集したホームネットワークコンテンツ目録は、放送コンテンツ目録フォーマットに変換し、前記放送手段から分離された放送コンテンツ目録は、ホームネットワークコンテンツ目録フォーマットに変換して、前記ホームネットワーク手段に伝達するためのホームネットワーク・放送連動手段と、放送フォーマットに変換されたホームネットワークコンテンツ目録と放送コンテンツ目録をユーザに提供し、前記ユーザが選択したコンテンツの類型によってユーザ選択情報を前記ホームネットワーク手段や前記放送手段に伝達し、それにより、ホームネットワークコンテンツまたは放送コンテンツを受信して、前記テレビで再生され得るように、映像信号処理するための映像処理及びユーザインターフェース（User Interface；以下、ＵＩとする）手段とを含む。
【０００８】
また、本発明は、テレビを介して放送プログラムコンテンツ（放送コンテンツ）やホームネットワークマルチメディアコンテンツ（ホームネットワークコンテンツ）が再生され得るように、前記テレビに放送コンテンツやホームネットワークコンテンツを伝送する方法において、ホームネットワーク端末でホームネットワークコンテンツ目録を収集して、放送コンテンツ目録フォーマットに変換し管理し、放送信号から放送コンテンツ目録を収集して、ホームネットワークコンテンツ目録フォーマットに変換し管理するコンテンツ収集・管理ステップと、ユーザの要求に応じてＥＰＧを実行させて、前記テレビを介して前記コンテンツ収集・管理ステップで管理される放送コンテンツ目録とホームネットワークコンテンツ目録を提供するコンテンツ目録提供ステップと、前記ユーザからチャンネル情報を受信すると、チャンネル−住所マッピング情報を利用して前記ユーザが要請したコンテンツがホームネットワークコンテンツと放送コンテンツとのうち、いずれかのコンテンツなのかを判断するコンテンツ類型判断ステップと、前記コンテンツ類型判断の結果、前記ユーザが要請したコンテンツが放送コンテンツの場合、前記チャンネル情報を用いて前記ユーザが選択したチャンネルの放送信号を受信し、該受信された放送信号から放送コンテンツを分離して前記テレビに伝送する放送コンテンツ伝送ステップと、前記コンテンツ類型判断の結果、前記ユーザが要請したコンテンツがホームネットワークコンテンツの場合、前記チャンネル−住所マッピング情報を用いて前記チャンネル情報を住所情報に変更し、前記住所情報に該当するホームネットワーク端末にホームネットワークコンテンツを要請することにより、受信されたホームネットワークコンテンツを前記テレビに伝送するホームネットワークコンテンツ伝送ステップとを含む。また、前記の本発明の方法は、前記ユーザからチャンネル情報を受信すると、テレビの現在状態、コンテンツの再生要請位置及びコンテンツ再生位置を用いてテレビでのコンテンツ再生に対する承諾可否を決定する資源管理ステップをさらに含む。
【０００９】
さらに、本発明は、ホームネットワーク端末で放送コンテンツやホームネットワークコンテンツが再生され得るように、ホームネットワーク端末に放送コンテンツやホームネットワークコンテンツを伝送する方法において、ホームネットワーク端末でホームネットワークコンテンツ目録を収集して、放送コンテンツ目録フォーマットに変換し管理し、放送信号から放送コンテンツ目録を収集して、ホームネットワークコンテンツ目録フォーマットに変換し管理するコンテンツ収集・管理ステップと、ユーザホームネットワーク端末からの要求に応じて前記コンテンツ収集・管理ステップで管理される放送コンテンツ目録とホームネットワークコンテンツ目録を提供するコンテンツ目録提供ステップと、前記ユーザホームネットワーク端末からコンテンツの要請を受けて、要請されたコンテンツ内の住所情報を介してコンテンツの類型を判断するコンテンツ類型判断ステップと、前記コンテンツ類型判断の結果、前記要請されたコンテンツが放送コンテンツの場合、前記コンテンツ要請情報に含まれた住所情報に対応するチャンネル情報を用いてユーザが選択したチャンネルの放送信号を受信し、該受信された放送信号から放送コンテンツを分離して前記ユーザホームネットワーク端末に伝送する放送コンテンツ伝送ステップと、前記コンテンツ類型判断の結果、前記要請されたコンテンツがホームネットワークコンテンツの場合、前記コンテンツ要請情報に含まれた住所情報に該当するホームネットワーク端末にホームネットワークコンテンツを要求し、応答として受信されたホームネットワークコンテンツを前記ユーザホームネットワーク端末に伝達するホームネットワークコンテンツ伝送ステップとを含む。また、本発明の方法は、前記ユーザホームネットワーク端末からコンテンツ要請を受けると、テレビの現在状態、コンテンツの再生要請位置及びコンテンツの再生位置を用いてホームネットワーク端末でのコンテンツ再生に対する承諾可否を決定する資源管理ステップをさらに含む。
【００１０】
本発明は、ホームネットワークマルチメディアコンテンツ目録のフォーマットを変換して、テレビのＥＰＧ情報とともにテレビに表示し、テレビは、ホームネットワークマルチメディアコンテンツを実際放送プログラムのようにユーザに再生してくれ、ＥＰＧ情報をホームネットワーク端末が認識できるフォーマットに変換することにより、ホームネットワーク端末が放送プログラムコンテンツ目録をホームネットワークマルチメディアコンテンツ目録のように認識し使用することができるようにする。
【００１１】
すなわち、本発明により、ユーザは、ＥＰＧを介して放送プログラムコンテンツだけでなく、ホームネットワークマルチメディアコンテンツも確認することができ、リモコンを用いて、自分がテレビを介してみようとするコンテンツを選択して視聴することができる。また、ユーザは、ホームネットワーク端末を用いて放送プログラムコンテンツ目録を確認することができ、放送プログラムコンテンツを自分が現在使用しているホームネットワーク端末または他のホームネットワーク端末で放送プログラムコンテンツを再生することができる。
【発明の効果】
【００１２】
本発明によれば、ホームネットワークに接続した端末（ホームネットワーク端末）が放送のプログラムコンテンツ目録を認識してコンテンツを再生できるようにし、テレビでは、ホームネットワークに存在するコンテンツ目録を認識して再生できるようにすることにより、宅内に存在する全てのコンテンツ、すなわち、ファイルまたは他の形態で存在するマルチメディアコンテンツと放送プログラムコンテンツをホームネットワーク端末とテレビで互いに区分なく全部利用できるようにするという効果がある。
【００１３】
すなわち、本発明は、どのようなホームネットワーク端末やテレビでもネットワークインターフェースのみ有していれば、ホームネットワークマルチメディアコンテンツと放送マルチメディアコンテンツを全部検索して再生できるようにするという効果を奏する。
【発明を実施するための最良の形態】
【００１４】
以下、添付された図面を参照して本発明の好ましい実施形態をさらに詳細に説明する。
【００１５】
図１は、本発明に係るホームネットワークと放送との間にマルチメディアコンテンツを相互利用するためのホームネットワーク・放送連動システムの一実施形態の構成図であって、ホームネットワークのマルチメディアコンテンツ（ホームネットワークコンテンツ）と放送のプログラムコンテンツ（放送コンテンツ）を放送とホームネットワークとで相互利用できるようにするシステムを示す。
【００１６】
本発明に係るホームネットワーク・放送連動システム１０は、図１に示すように、ホームネットワークモジュール１１、放送モジュール１２、ホームネットワーク・放送連動モジュール１３、映像処理及びＵＩモジュール１４を含んでなる。
【００１７】
まず、ホームネットワークモジュール１１に対して説明すれば、次の通りである。
【００１８】
ホームネットワークモジュール１１は、ホームネットワークマルチメディアコンテンツ目録とホームネットワークフォーマットに変換された放送コンテンツ目録を収集・管理しつつ、ホームネットワーク端末の要求に応じて当該コンテンツ目録を提供し、ホームネットワーク端末３０やテレビ２０での再生のために、ホームネットワークコンテンツや放送コンテンツを中継する機能を行うものである。これについてもう少し詳細に説明した後、それぞれの構成要素に対して説明する。
【００１９】
ホームネットワークモジュール１１は、ホームネットワークマルチメディアコンテンツをテレビで再生するか、または放送プログラムコンテンツをホームネットワーク端末に伝送するために、ホームネットワークに接続した他のホームネットワーク端末と通信し、相互情報を獲得し制御するモジュールである。
【００２０】
ホームネットワークモジュール１１は、テレビでホームネットワークマルチメディアコンテンツを再生させるために、次のような機能を行う。ホームネットワークに接続した装置（デバイス）を発見し、ホームネットワークマルチメディアコンテンツを格納しているメディアサーバからホームネットワークコンテンツ目録を受信した後、この情報をホームネットワーク・放送連動モジュール１３に伝達する。そして、ユーザ要求に応じて特定ホームネットワークマルチメディアコンテンツを再生するために、メディアサーバに制御命令を伝送し、コンテンツをメディアサーバから受信する。
【００２１】
一方、ホームネットワークモジュール１１は、ホームネットワーク端末で放送プログラムコンテンツを再生するためには、次のような機能を行う。他のホームネットワーク端末（メディアプレーヤー）から放送プログラムコンテンツ目録の要請があるとき、メディアプレーヤーから伝送された制御命令を行う。そして、放送プログラムコンテンツを当該メディアプレーヤーに伝送する機能を行う。
【００２２】
ホームネットワークモジュール１１は、図１０に示すように、ホームネットワーク装置制御部１１１、コンテンツ目録管理部１１２、ホームネットワークミドルウェア部１１３、マルチメディアコンテンツ送受信部１１４、ネットワークインターフェース部１１５から構成されるが、以下、それぞれについて説明すれば、次の通りである。
【００２３】
ホームネットワーク装置制御部１１１は、ホームネットワーク装置（例えば、ホームネットワークモジュール１１とホームネットワーク端末３０）を全般的に制御し、コンテンツの送受信のために、ホームネットワークミドルウェア部１１３を介してホームネットワーク端末と制御命令をやり取りする。すなわち、ホームネットワーク装置制御部１１１は、コンテンツの送受信のために、ホームネットワーク端末に制御命令を送信したり、ホームネットワーク端末から制御命令を受信したりして、セットトップボックスを制御するモジュールである。コンテンツ伝送のための再生、中止、音量調節などの命令を送受信する。
【００２４】
ホームネットワークミドルウェア部１１３は、ホームネットワークミドルウェアを具現したモジュ−ロであって、ホームネットワークに接続した装置（ホームネットワーク端末）を発見し、その発見したホームネットワーク端末からホームネットワークマルチメディアコンテンツ目録を収集し、ホームネットワーク端末と制御命令とイベントを送受信する。このモジュールは、セットトップボックスまたはホームサーバがどのようなホームネットワークミドルウェアを支援するかによって変わる。
【００２５】
コンテンツ目録管理部１１２は、ホームネットワークミドルウェア部１１３を介して収集されたホームネットワークマルチメディアコンテンツ目録とホームネットワークマルチメディアコンテンツ目録形式（すなわち、ＸＭＬ形式）に変換された放送プログラムコンテンツ目録を格納・管理しつつ、ホームネットワーク端末の要求に応じてコンテンツ目録を提供する。
【００２６】
それにより、コンテンツ目録管理部１１２は、ホームネットワーク端末からコンテンツ要請を受けると、要請されたコンテンツの類型によって他のホームネットワーク端末または放送モジュール１２にコンテンツを要求する。すなわち、コンテンツ目録管理部１１２は、ホームネットワーク端末からコンテンツ要請を受けると、そのコンテンツ要請に含まれたＵＲＬ（Uniform Resource Locator）情報を介してコンテンツの類型（要請されたコンテンツがホームネットワークマルチメディアコンテンツまたは放送プログラムコンテンツのうち、いずれかのコンテンツを要求しているか）を判断し、その判断の結果、その要請されたコンテンツが放送プログラムコンテンツの場合、ＵＲＬ情報に対応するチャンネル情報を用いて放送モジュール１２にコンテンツを要求し、その要請されたコンテンツがホームネットワークマルチメディアコンテンツの場合、ＵＲＬ住所情報に該当する他のホームネットワーク端末にコンテンツを要求する。
【００２７】
マルチメディアコンテンツ送受信部１１４は、ホームネットワークに接続したホームネットワーク端末に放送プログラムコンテンツを送信したり、そのホームネットワーク端末からホームネットワークマルチメディアコンテンツを受信したりする。より詳細には、マルチメディアコンテンツ送受信部１１４は、コンテンツ目録管理部１１２の要求に応じて他のホームネットワーク端末または放送モジュール１２からコンテンツを受信し、当該ホームネットワーク端末に伝達したり、映像処理及びＵＩモジュール１４からの要請にしたがって当該ホームネットワーク端末からホームネットワークコンテンツを受信して伝達したりする。ここで、マルチメディアコンテンツ送受信部１１４は、ホームネットワーク端末が支援するプロトコル（ＨＴＴＰ、ＲＴＰなど）を使用してコンテンツを送受信する。
【００２８】
ネットワークインターフェース部１１５は、ホームネットワーク端末との通信のために使用するネットワークインターフェースであって、イーサネット、ＵＷＢ（Ultra Wide Band）、ＩＥＥＥ１３９４など、様々なネットワークインターフェースが該当することができる。
【００２９】
次に、放送モジュール１２を説明すれば、次の通りである。
【００３０】
放送モジュール１２は、地上波放送、衛星放送、またはケーブル放送などから放送信号を受信して、テレビで放送プログラムコンテンツを再生できるようにするモジュールである。また、放送モジュール１２は、放送網を介して伝送される放送信号を受信して、放送コンテンツ目録と放送コンテンツに分離し、このように分離された放送プログラムコンテンツ目録情報をコンテンツ情報変換部１３１に伝達する。
【００３１】
放送モジュール１２は、図１に示すように、放送チューナー１２１、デマルチプレクサ１２２、リモコン入力受信部１２３から構成されるが、以下、それぞれについて説明すれば、次の通りである。
【００３２】
放送チューナー１２１は、全てのチャンネル信号が入る地上波放送信号、衛星放送信号、またはケーブル放送信号からユーザが選択したチャンネルの信号のみを受信してデマルチプレクサ１２２に伝達する。
【００３３】
次に、デマルチプレクサ１２２は、受信された放送チャンネル信号でさらに細部放送信号を分離し出す機能を行う。放送チューナー１２１から受信された信号は、複数個のコンテンツが存在できるので、デマルチプレクサ１２２は、放送チューナー１２１より受信された信号からユーザーの所望するコンテンツを分離してＡＶデコーダ１４１に伝達する。
【００３４】
すなわち、デマルチプレクサ１２２は、放送チューナー１２１より受信された放送チャンネル信号から放送プログラムコンテンツと放送プログラムコンテンツ目録を分離して、放送コンテンツは、ＡＶデコーダ１４１またはホームネットワークモジュール１１に伝達し、放送プログラムコンテンツ目録は、ホームネットワーク・放送連動モジュール１３に伝達する。このように分離されて伝えられた放送プログラムコンテンツ目録は、ホームネットワーク・放送連動モジュール１３においてフォーマットが変換される。
【００３５】
一方、リモコン入力受信部１２３は、ユーザがリモコン（Remote Controller）を用いて入力したキー（KEY）値（すなわち、ユーザ選択情報）を受信し、これをＥＰＧ−アプリケーション管理部１４２に伝達する機能を行う。
【００３６】
次に、ホームネットワーク・放送連動モジュール１３を説明すれば、次の通りである。
【００３７】
ホームネットワーク・放送連動モジュール１３は、ホームネットワークモジュール１１と放送モジュール１２とが相互連動できるように、２つのモジュール間の情報を変換し、制限的なホームサーバまたはセットトップボックス、そして、テレビ資源を共有できるように、資源の使用可否を受諾または拒絶する機能を行うモジュールである。ホームネットワークモジュール１１と放送モジュール１２とは、ホームネットワーク・放送連動モジュール１３によって互いに接続される。
【００３８】
ホームネットワーク・放送連動モジュール１３は、図１に示すように、コンテンツ情報変換部１３１と資源管理部１３２から構成され、以下、それぞれについて説明すれば、次の通りである。
【００３９】
まず、コンテンツ情報変換部１３１は、ＸＭＬ（Extensible Markup Language）フォーマットのホームネットワークマルチメディアコンテンツ目録を放送で定義された放送プログラムコンテンツ目録フォーマットに変換して、ＥＰＧ−アプリケーション管理部１４２に伝達するか、または放送プログラムコンテンツ目録をＸＭＬフォーマットのコンテンツ目録に変換して、コンテンツ目録管理部１１２に伝達するが、以下では、具体的な変換過程を説明する。
【００４０】
最初に、放送プログラムコンテンツ目録をホームネットワークマルチメディアコンテンツ目録に変換する過程（放送−ホームネットワークフォーマット変換過程）は、次の通りである。
【００４１】
放送モジュール１２から伝えられた放送プログラムコンテンツ目録は、各プログラムコンテンツごとにプログラム名（name）、チャンネル、開始時刻、終了時刻などの情報を含む。コンテンツ情報変換部１３１は、この情報を用いてＸＭＬフォーマットに変換し、他のホームネットワーク端末が当該放送プログラムコンテンツを要請できるＵＲＬを生成する。すなわち、放送プログラムコンテンツに対するチャンネル情報をＵＲＬ形式で表現する。
【００４２】
ここで、ＵＲＬの形式は、「伝送プロトコル名」：・・「ホストＩＰ住所」：「ホストポート」・「放送番組であることが分かるようにする固有の名前」・「放送プログラムコンテンツ識別子」・「チャンネル」のようなものである。例えば、午前１０時から１１時まで「ｘｘｘ」というプログラムがチャンネル３から放送され、このプログラムコンテンツがＨＴＴＰプロトコルを用いて伝送されることができれば、このコンテンツのＵＲＬは、「ｈｔｔｐ：・・１．１．１．1：２００００・ｂｒｏａｄｃａｓｔ・ｘｘｘ・３」となる。ＵＲＬには、要請されたＵＲＬが放送コンテンツを要請していることが分かる識別子と放送プログラムコンテンツの識別子、そして、チャンネル情報が含まれるということが核心である。この放送プログラムコンテンツ識別子は、上記の例のように、明示的に表現されるが、暗示的な表現も可能である。すなわち、明示的に放送コンテンツであることを表さないが、ＵＲＬの意味上で放送コンテンツであることが分かるようにＵＲＬを生成することができる。そして、コンテンツ目録ＸＭＬ文書には、プログラムの開始時刻、終了時刻、チャンネルなどの情報が含まれる。
【００４３】
第２に、ホームネットワークマルチメディアコンテンツ目録を放送プログラムコンテンツ目録に変換する過程（ホームネットワーク−放送フォーマット変換過程）は、次の通りである。
【００４４】
ホームネットワークマルチメディアコンテンツには、開始時刻とチャンネル情報がないので、ホームネットワークマルチメディアコンテンツ目録を放送プログラムコンテンツ目録に変換するときは、「開始時刻」を現在時刻または常に開始可能（常時可能）と表示し、「終了時刻」は、現在時刻に再生時間を加えた時刻または再生時間と表示する。
【００４５】
そして、ホームネットワークマルチメディアコンテンツに対しては、テレビで接近できる「チャンネル」を割り当て、この割り当てられたチャンネル情報をＥＰＧ−アプリケーション管理部１４２に伝達する。この時、コンテンツにチャンネルを割り当てる方法には、１つのコンテンツに１つのチャンネルを割り当てる方法と、１つのチャンネルに１つのコンテンツグループを割り当てる方法がある。
【００４６】
ユーザの指定したコンテンツ、再生時間の長いコンテンツ、またはその他の方法によって１つのチャンネルが割り当てられる必要性のあるコンテンツに対しては、１つのコンテンツに１つのチャンネルが割り当てられる方法が適用されるが、この方式でチャンネルが割り当てられるコンテンツに対しては、全体放送チャンネルで現在使用されないチャンネルが割り当てられるようになる。この方法により、ユーザは、テレビ上でＥＰＧを介してホームネットワークマルチメディアコンテンツ名、開始時刻、終了時刻などの情報とチャンネル情報などの様々な情報をみることができる。
【００４７】
一方、１つのチャンネルにホームネットワークマルチメディアコンテンツグループが割り当てられると、ＥＰＧには、当該コンテンツグループの代表コンテンツの名前、任意の開始時刻、任意の終了時刻、そして、割り当てられたチャンネルが現れる。そして、ユーザが特定チャンネルを選択すれば、ＥＰＧ画面に当該コンテンツグループの目録が現れるようになる。この方法でも、全体放送チャンネルで現在使用されないチャンネルが割り当てられることはもちろんである。コンテンツグループをチャンネルに割り当てる方法は、図５の通りである。
【００４８】
例えば、１つのチャンネルにコンテンツグループが割り当てられる方式が適用されるときは、１つのチャンネルに１つのメディアサーバに格納されたコンテンツが１つのグループをなして、当該チャンネルに格納される場合が該当し得る。または、アクション映画は、３０番、ドラマは、３１番、家族写真は、３２番などで、ユーザが任意にコンテンツグループを指定することもできる。或いは、１つのメディアサーバをグループとして指定し、１つのメディアサーバに存在する全てのコンテンツを１つのグループに取り扱うこともできる。
【００４９】
ホームネットワークマルチメディアコンテンツに特定チャンネルが割り当てられると、ユーザは必ずＥＰＧを経て自分の所望するコンテンツをみる必要がない。自分の所望するときに、当該チャンネルのみ入力すれば、自分の所望するホームネットワークマルチメディアコンテンツをみることができる。
【００５０】
資源管理部１３２は、テレビ画面、チューナー、スピーカーなどのように、同時に多数の作業を行うことができないテレビの資源を管理するモジュールである。これについては、図２において詳細に説明する。
【００５１】
次に、映像処理及びＵＩモジュール１４に対して説明する。
【００５２】
映像処理及びＵＩモジュール１４は、テレビ画面でホームネットワークモジュール１１と放送モジュール１２とから伝えられるマルチメディアコンテンツが再生できるようにし、また、テレビ画面にＥＰＧ情報及びＵＩ情報が表示されるようにする。より詳細には、映像処理及びＵＩモジュール１４は、放送フォーマットに変換されたホームネットワークマルチメディアコンテンツ目録と放送プログラムコンテンツ目録をテレビ画面を介してユーザに提供し、ユーザが選択したコンテンツの類型によってユーザ選択情報をホームネットワークモジュール１１や放送モジュール１２に伝達し、それにより、ホームネットワークコンテンツまたは放送コンテンツを受信して、テレビで再生できるように映像信号処理する。
【００５３】
映像処理及びＵＩモジュール１４は、図１に示すように、オーディオ・ビデオ（ＡＶ）デコーダ１４１、ＥＰＧ−アプリケーション管理部１４２、グラフィック合成部１４３、及び信号変換部１４４から構成され、以下、それぞれについて説明すれば、次の通りである。
【００５４】
まず、オーディオ・ビデオ（ＡＶ）デコーダ１４１は、ホームネットワークモジュール１１と放送モジュール１２とから伝送されたコンテンツデータをデコーディングする。ホームネットワークモジュール１１と放送モジュール１２とから伝えられるコンテンツデータは、ＭＰＥＧ、ＷＭＶなどの方式でエンコーディングされているので、これを再生するためには、デコーディングする必要がある。
【００５５】
ＥＰＧ−アプリケーション管理部１４２は、ホームネットワークマルチメディアコンテンツ目録と放送プログラムコンテンツ目録を含むＥＰＧ情報をＵＩ情報とともに、テレビ画面を介してユーザに提供し、ユーザが選択したコンテンツの類型によってユーザ選択情報を放送モジュール１２またはホームネットワークモジュール１１に伝達する機能を行う。
【００５６】
これをさらに詳細に説明すれば、次の通りである。ＥＰＧ−アプリケーション管理部１４２は、テレビ画面にＥＰＧ情報とＵＩ情報とを表す機能を行う。また、ＥＰＧ−アプリケーション管理部１４２は、ホームネットワークマルチメディアコンテンツのＵＲＬとチャンネルのマッピングテーブル（以下、「チャンネル−ＵＲＬマッピングテーブル」とする）を有しており、ユーザが選択したチャンネルが放送プログラムコンテンツなのか、ホームネットワークマルチメディアコンテンツなのかを判断する。チャンネル−ＵＲＬマッピングテーブルを検索して、ユーザが選択したチャンネル情報がなければ、ホームネットワークマルチメディアコンテンツを選択したことと判断し、これとは異なり、ユーザが選択したチャンネル情報があれば、放送プログラムコンテンツと判断する。
【００５７】
判断の結果、もし、ユーザが選択したチャンネル情報が放送プログラムコンテンツに対したものであれば、放送モジュール１２にチャンネル情報を伝送し、もし、ホームネットワークコンテンツであれば、チャンネル情報をＵＲＬ住所情報に変更してホームネットワークモジュール１１に伝送する。
【００５８】
一方、グラフィック合成部１４３は、ＥＰＧ画面及びＵＩ情報を、ＡＶデコーダ１４１でデコーディングされたマルチメディアコンテンツの映像画面と合成することにより、テレビ画面にＥＰＧ画面及びＵＩ情報がコンテンツ映像と同時に現れることができるようにする。
【００５９】
次に、信号変換部１４４は、グラフィック合成部１４３から出力されるデジタル映像データをＳ−Ｖｉｄｅｏ、コンポーネント（Component）、コンポジット（Composite）などのアナログ映像信号に変換する機能を行う。
【００６０】
図２は、本発明に係る図１の資源管理部でのコンテンツ再生可否決定に使用される政策テーブルの一実施形態の構成図である。
【００６１】
資源管理部１３２は、テレビ画面、チューナー、スピーカーなどのように、同時に多数の作業を行うことができないテレビの資源を管理する機能を行う。
【００６２】
ホームネットワークマルチメディアコンテンツを再生しようとするとき、資源管理部１３２は、現在テレビの状態２０１、ホームネットワークマルチメディアコンテンツの再生要請がどこから伝送されたことなのか（再生要請位置）２０２、及びどこから再生されることを所望しているか（再生位置）２０３を検査した後、その検査結果を利用してコンテンツの再生要請を受諾するか、または拒否するかを決定する２０４。このようなコンテンツ再生可否に対する決定は、図２のように決定される。
【００６３】
すなわち、資源管理部１３２は、ホームネットワークモジュール１１０と放送モジュール１２とが共有するテレビ資源を介してユーザが要請したコンテンツを再生する前に、先に、図２に示された方法またはこれと類似した方法でコンテンツ再生許容可否を決定する。
【００６４】
図３は、本発明に係るテレビでのホームネットワーク・放送コンテンツの再生のためのホームネットワーク・放送連動方法に対する一実施形態のフローチャートであって、これは、ホームネットワーク・放送連動システム１０で行われる方法を示す。すなわち、図３は、テレビで放送コンテンツやホームネットワークコンテンツが再生できるように、テレビに放送コンテンツやホームネットワークコンテンツを伝送する方法を示す。
【００６５】
ユーザは、テレビリモコンとホームネットワーク端末とを用いて、テレビまたはホームネットワーク端末でコンテンツを再生することができる。「テレビ」でホームネットワークマルチメディアコンテンツを再生させる方法と、「ホームネットワーク端末」で放送プログラムコンテンツを再生させる方法があるが、前者は、図３を参照して説明し、後者は、図４を参照して説明する。
【００６６】
まず、ホームネットワーク・放送連動システム１０は、ホームネットワーク端末からホームネットワークコンテンツ目録を収集して、放送コンテンツ目録フォーマットに変換し管理し、放送信号から放送コンテンツ目録を収集して、ホームネットワークコンテンツ目録フォーマットに変換し管理するようになる３００。
【００６７】
次いで、映像処理及びＵＩモジュール１４は、ユーザの要求に応じて電子プログラムガイドＥＰＧを実行させ、テレビ２０の画面を介して放送コンテンツ目録とホームネットワークコンテンツ目録を提供する３０１。すなわち、ユーザがテレビリモコンでＥＰＧを実行させると、放送プログラムコンテンツ目録だけでなく、ホームネットワークマルチメディアコンテンツ目録も表示されることができる。この時、ホームネットワークマルチメディアコンテンツ目録も放送チャンネル情報を含んでいる。
【００６８】
ユーザからテレビリモコンを介してチャンネル情報を受信すると３０２、ＥＰＧ−アプリケーション管理部１４２は、図５のチャンネル−住所（ＵＲＬ）マッピングテーブルを用いてユーザが要請したコンテンツがホームネットワークマルチメディアコンテンツと放送プログラムコンテンツのうち、いずれかのコンテンツなのかを判断する３０４、３０６。すなわち、ユーザがリモコンを用いてチャンネルを入力すれば、入力されたチャンネルはリモコン入力受信部１２３を介してＥＰＧ−アプリケーション管理部１４２に伝達されるようになり、そうすると、ＥＰＧ−アプリケーション管理部１４２は、自分が有しているチャンネル−ＵＲＬマッピングテーブルを検索して、ユーザが要請したコンテンツの類型を判断するようになる。ここで、要請したコンテンツ類型の判断過程は、ユーザの入力したチャンネル情報がチャンネル−住所（ＵＲＬ）マッピングテーブルに存在するかを検査し３０４、入力されたチャンネル情報がチャンネル−住所（ＵＲＬ）マッピングテーブルになければ、ユーザが放送プログラムコンテンツを要請したものであり、チャンネル情報がチャンネル−住所（ＵＲＬ）マッピングテーブルにあれば、ユーザがホームネットワークマルチメディアコンテンツを要請したものと判断するようになる３０６。
【００６９】
図３には図示しなかったが、ユーザからチャンネル情報を受信すると、資源管理部１３２は、テレビの現在状態、コンテンツの再生要請位置及びコンテンツ再生位置を用いてテレビでのコンテンツ再生に対する承諾可否を決定する資源管理ステップが加えられることができ、資源管理ステップを通して再生が許諾された場合に限って、コンテンツの伝送があるようになる。
【００７０】
判断の結果、ユーザの要請したコンテンツが放送プログラムコンテンツであれば、ＥＰＧ−アプリケーション管理部１４２は、放送モジュール１２に前記チャンネル情報を伝達し、そうすると、放送モジュール１２は、そのチャンネル情報を用いてユーザが選択したチャンネルの放送信号を受信し３０８、その受信された放送信号から放送プログラムコンテンツを分離してテレビに伝送する３１０。このように伝送された放送プログラムコンテンツは、テレビにおいて再生される。
【００７１】
判断の結果、ユーザの要請したコンテンツがホームネットワークマルチメディアコンテンツであれば、ＥＰＧ−アプリケーション管理部１４２は、チャンネル-住所（ＵＲＬ）マッピングテーブルを用いて前記チャンネル情報を住所（ＵＲＬ）情報に変更した後、これをホームネットワークモジュール１１に伝達する３１２。ここで、チャンネル−住所（ＵＲＬ）マッピングテーブルは、それぞれのホームネットワークマルチメディアコンテンツに対して割り当てられたチャンネル情報と、そのホームネットワークマルチメディアコンテンツを提供するホームネットワーク端末のＵＲＬ情報を含む。もし、ユーザのチャンネル情報に対してホームネットワークコンテンツグループが割り当てられていると、ＥＰＧ−アプリケーション管理部１４２は、ユーザに追加的なコンテンツグループ情報を提供する過程を通じて、ユーザから最終的に選択されるようになり、その最終的に選択されたコンテンツに対するＵＲＬ住所情報に変更するようになる（図５を参照）。
【００７２】
次に、ホームネットワークモジュール１１は、住所（ＵＲＬ）情報に該当するホームネットワーク端末にホームネットワークコンテンツを要請し３１４、それにより、当該ホームネットワーク端末からホームネットワークマルチメディアコンテンツを受信して、映像処理及びＵＩモジュール１４を介してテレビに伝送する３１６。このように伝送されたホームネットワークマルチメディアコンテンツは、テレビにおいて再生される。
【００７３】
もし、ユーザが入力したチャンネルにコンテンツグループが割り当てられていると、ＥＰＧ−アプリケーション管理部１４２は、ユーザに当該コンテンツグループ情報を表す別のＵＩ情報を提供することにより、ユーザーの所望するコンテンツを選択できるようにする。ユーザがコンテンツグループから特定コンテンツを選択すれば、ＥＰＧ−アプリケーション管理部１４２は、ＵＲＬ情報を用いて、その選択されたコンテンツ情報をホームネットワークモジュール１１に伝達する。そうすると、ホームネットワークモジュール１１は、当該ホームネットワーク端末（メディアサーバ）にコンテンツを要求し、それにより、コンテンツを伝送され、映像処理及びＵＩモジュール１４を介してテレビに伝送する。
【００７４】
図４は、本発明に係るホームネットワーク端末での放送・ホームネットワークコンテンツの再生のためのホームネットワーク・放送連動方法に対する一実施形態のフローチャートであって、これは、ホームネットワーク・放送連動システム１０で行われる方法を示す。すなわち、図４は、ホームネットワーク端末で放送コンテンツやホームネットワークコンテンツが再生できるように、ホームネットワーク端末に放送コンテンツやホームネットワークコンテンツを伝送する方法を示す。
【００７５】
まず、ホームネットワーク・放送連動システム１０は、ホームネットワーク端末でホームネットワークコンテンツ目録を収集して、放送コンテンツ目録フォーマットに変換し管理し、放送信号から放送コンテンツ目録を収集して、ホームネットワークコンテンツ目録フォーマットに変換し管理するようになる４００。
【００７６】
その後、ホームネットワークモジュール１１は、ユーザホームネットワーク端末３０からの要求に応じて放送プログラムコンテンツ目録とホームネットワークマルチメディアコンテンツ目録を提供する４０１。
【００７７】
次いで、ユーザがホームネットワーク端末を用いて放送プログラムコンテンツを要請するようになるが、このようなユーザの要請は、ＵＲＬ情報と表現されてホームネットワークモジュール１１に伝送される。ここで、ＵＲＬ情報には、放送コンテンツ要請であることを表す識別子、放送プログラムコンテンツ識別子、チャンネル情報が含まれる。
【００７８】
ホームネットワークモジュール１１は、ユーザのホームネットワーク端末からコンテンツ要請を受けると、その要請されたコンテンツ内の住所情報（ＵＲＬ情報）を介してコンテンツの類型を判断するようになる４０２、４０４。すなわち、ホームネットワークモジュール１１は、ＵＲＬ情報を分析して、ユーザが放送プログラムコンテンツまたはホームネットワークマルチメディアコンテンツのうち、いずれかのコンテンツを要請することであるかを判断する。
【００７９】
図４には図示しなかったが、ユーザホームネットワーク端末からコンテンツ要請を受けると、資源管理部１３２がテレビの現在状態、コンテンツの再生要請位置及びコンテンツ再生位置を用いてホームネットワーク端末でのコンテンツ再生に対する承諾可否を決定する資源管理ステップが加えられることができ、資源管理ステップを通して再生が許諾された場合に限って、コンテンツの伝送があるようになる。
【００８０】
コンテンツ類型判断の結果、要請されたコンテンツが放送プログラムコンテンツの場合、ホームネットワークモジュール１１は、前記コンテンツ要請情報に含まれたＵＲＬ情報をチャンネル情報に変更して、放送モジュール１２に伝送する４０６。ここで、ＵＲＬをチャンネル情報に変更する過程は、既にＵＲＬを生成するときにチャンネル情報を挿入したので、ＵＲＬだけでチャンネル情報を獲得することにより容易に達成される。
【００８１】
次に、放送モジュール１２は、変更されたチャンネル情報を用いてユーザが選択したチャンネルの放送信号を受信し４０８、受信された放送信号から放送プログラムコンテンツを分離して、ホームネットワークモジュール１１を介してユーザホームネットワーク端末３０に伝送する４１０。すなわち、放送モジュール１２が放送プログラムコンテンツをホームネットワークモジュール１１に伝送すれば、ホームネットワークモジュール１１は、これをユーザホームネットワーク端末３０に伝送する。
【００８２】
ホームネットワーク端末３０に伝送される放送プログラムコンテンツには、現在放送中のコンテンツだけでなく、未来に放送されるプログラムコンテンツも含まれることができる。
【００８３】
もし、ユーザが要請した放送プログラムコンテンツが現在放送中のコンテンツの場合、直ちにホームネットワーク端末で当該コンテンツが再生される。逆に、ユーザが要請した放送プログラムコンテンツが「未来」に始めるコンテンツの場合、このコンテンツは、当該ホームネットワーク端末３０とホームネットワーク・放送連動システム１０に予約されて、当該コンテンツが始まる時間に、自動に放送モジュール１２とホームネットワークモジュール１１、そして、資源管理部１３２が動作してホームネットワーク端末で当該コンテンツが再生される。すなわち、放送モジュール１２は、未来に放送される放送プログラムコンテンツに対するチャンネル情報をもって待機し、当該コンテンツの放送開始時刻に放送信号を受信するようになる。
【００８４】
一方、コンテンツ類型判断の結果、要請されたコンテンツがホームネットワークマルチメディアコンテンツの場合、ホームネットワークモジュール１１は、コンテンツ要請情報に含まれたＵＲＬ情報を用いて当該ホームネットワーク端末にホームネットワークマルチメディアコンテンツを要求する４１２。それにより、ホームネットワークモジュール１１が前記当該ホームネットワーク端末から当該ホームネットワークマルチメディアコンテンツを受信すると、これをコンテンツを要求したホームネットワーク端末に伝達する４１４。
【００８５】
図３及び図４のような方法により、テレビで放送プログラムコンテンツやホームネットワークマルチメディアコンテンツを再生するか、または、ホームネットワーク端末で放送プログラムコンテンツを再生しようとする場合、必ずしも、コンテンツ再生以前に資源管理部１３２によって資源使用受諾可否が決定されてこそコンテンツが再生できる。これを通じて限定された資源を效率的に使用できるようになる。
【００８６】
図５は、本発明に係るＥＰＧ−アプリケーション管理部でのチャンネルとＵＲＬとの間のマッピング情報を構成する方法に対する一実施形態の説明図である。
【００８７】
図３でも説明した通り、もし、ユーザのチャンネル情報に対してホームネットワークコンテンツグループが割り当てられていると、ＥＰＧ−アプリケーション管理部１４２は、ユーザに追加的なコンテンツグループ情報を提供する過程を通じてユーザから最終的に選択を受けるようになる。最終的に選択されたコンテンツのＵＲＬ情報が、ユーザが選択したコンテンツに対するＵＲＬ情報となる。
【００８８】
「５０１」からわかるように、個別コンテンツに対しては、直ちにＵＲＬ情報を獲得することができ、コンテンツグループの場合には、「５０２」、「５０３」、「５０４」のように、続けて提供される追加コンテンツグループ情報を通じて最終的に１つのコンテンツが選択される。このような過程を通じてユーザが選択したチャンネル情報に対するＵＲＬ情報がマッピングされる。
【００８９】
上述したように、本発明の方法は、プログラムで実現されてコンピュータで読み取り可能な形態で記録媒体（ＣＤＲＯＭ、ＲＡＭ、ＲＯＭ、フロッピーディスク、ハードディスク、光磁気ディスクなど）に格納されることができる。このような過程は、本発明の属する技術分野で通常の知識を有した者が容易に実施できるので、これ以上詳細に説明しないことにする。
【００９０】
本発明は、上記の実施形態に限定されるものではなく、本発明に係る技術的思想から逸脱しない範囲内で様々な変更が可能であり、それらも本発明の技術的範囲に属する。
【図面の簡単な説明】
【００９１】
【図１】本発明に係るホームネットワークと放送との間にマルチメディアコンテンツを相互利用するためのホームネットワーク・放送連動システムの一実施形態の構成図である。
【図２】本発明に係る図１の資源管理部でのコンテンツ再生可否決定に使用される政策テーブルの一実施形態の構成図である。
【図３】本発明に係るテレビでのホームネットワーク・放送コンテンツの再生のためのホームネットワーク・放送連動方法に対する一実施形態のフローチャートである。
【図４】本発明に係るホームネットワーク端末での放送・ホームネットワークコンテンツの再生のためのホームネットワーク・放送連動方法に対する一実施形態のフローチャートである。
【図５】本発明に係るＥＰＧ−アプリケーション管理部でのチャンネルとＵＲＬとの間のマッピング情報を構成する方法に対する一実施形態の説明図である。
【符号の説明】
【００９２】
１０      ホームネットワーク・放送連動システム
１１      ホームネットワークモジュール
１２      放送モジュール
１３      ホームネットワーク・放送連動モジュール
１４      映像処理及びＵＩモジュール
【図１】
2007181192.tif 000003
【図２】
2007181192.tif 000004
【図３】
2007181192.tif 000005
【図４】
2007181192.tif 000006
【図５】
2007181192.tif 000007